(57)【要約】【課題】排水時におけるチェーンの踊りを有効に防止した水中ポンプ吊下げ用チェーンの上端支持装置を提供する。【解決手段】中空コラム４内に水中ポンプ５を上げ降ろしするための吊下げ用チェーン１９が水中ポンプ５に連結されている。中空コラム４上端部に設けられたフランジ部７の上面に、環状の中間フランジ板９を介して上蓋１１が装着される。中間フランジ板９の径方向に離隔した内周部に、それぞれ対向して切欠溝が形成される。両切欠溝間にわたってチェーン支持棒１５が着脱自在に嵌め込み配置され、該チェーン支持棒１５の中空コラム４中心部付近に位置して備えられたチェーン連結部１５ａに吊下げ用チェーン１９上端のリンク１９ａがシャックル２０を介して連結されている。【選択図】        図１
2004196525.tif 000002
【特許請求の範囲】
【請求項１】
水中ポンプに連結された吊下げ用チェーンを用いて中空コラム内に水中ポンプを上げ降ろしする水中ポンプ吊下げ用チェーンの上端支持装置において、
前記中空コラム上端部に設けられたフランジ部の上面に、環状の中間フランジ板を介して上蓋が装着され、
前記中間フランジ板の径方向に離隔した内周部に、それぞれ形成された対向する切欠溝間にわたってチェーン支持棒が着脱自在に嵌め込み配置され、該チェーン支持棒の中空コラム中心部付近に位置して備えられたチェーン連結部に前記吊下げ用チェーンが連結されたことを特徴とする水中ポンプ吊下げ用チェーンの上端支持装置。
【請求項２】
前記フランジ部の上側に載置状とされる前記チェーン支持棒両端部の下面側もしくは上面側の少なくともいずれか一方に、前記上蓋の装着時に圧縮変形される弾性部材が設けられたことを特徴とする請求項１に記載の水中ポンプ吊下げ用チェーンの上端支持装置
【請求項３】
前記チェーン連結部は前記チェーン支持棒に突設されたリング状のフック体からなり、チェーン連結部と吊下げ用チェーンのリンクとが中継連結部材を介して互いに連結されたことを特徴とする請求項１または請求項２に記載の水中ポンプ吊下げ用チェーンの上端支持装置。
【発明の詳細な説明】
【０００１】
【発明の属する技術分野】
本発明は、中空コラム内に水中ポンプを上げ降ろしする際に使用される水中ポンプ吊下げ用チェーンの上端支持装置に関するものである。
【０００２】
【従来の技術】
従来、コラム式水中ポンプにおいては、水中ポンプに連結された吊下げ用チェーンを用いて、中空コラム内に水中ポンプを降ろして据え付け配置したり、保守点検等のメンテナンス時に水中ポンプを引き上げたりしていた。
【０００３】
そして、水中ポンプの使用時には、前記吊下げ用チェーンの上端を中空コラムの上部内壁部に設けられた掛止金具に係止させたり、コラム上端開口部の外周フランジ部と蓋体との間に介装されたリング状の取付基体に設けられた連結片に連結する構造のものがあった（例えば、特許文献１や特許文献２参照。）。
【０００４】
【特許文献１】
特開２０００−２０５１７６号公報
【特許文献２】
実開平２−１２０９８号公報
【０００５】
【発明が解決しようとする課題】
しかしながら、上記特許文献１や特許文献２に開示の吊下げ用チェーンの上端支持構造によれば、中空コラムの中心から一側に偏心した外周部で吊下げ用チェーンの上端を支持固定する構造であるため、吊下げ用チェーンが中空コラム内で傾斜状に配置される構造となり、吊下げ用チェーンの固定状態でチェーンにたるみが生じ易く、水中ポンプ作動による排水時の水流によってチェーンが大きく踊り、水中ポンプのケーブルや中空コラムを傷つけたり、突発的なテンションによってチェーン自体の損傷を招くおそれがあった。
【０００６】
また、特許文献２に開示のリング状の取付基体を吊下げ用チェーンの上端を連結する構造によれば、吊下げ用チェーンによる負荷により取付基体は前記外周フランジ部の軸心から位置ズレする方向に力が作用するため、蓋体の取付作業時において、外周フランジ部と取付基体と蓋体との相互間のボルト孔の位置合わせ作業が面倒になるという問題もあった。
【０００７】
そこで、本発明は上記問題点に鑑み、排水時におけるチェーンの踊りを有効に防止した水中ポンプ吊下げ用チェーンの上端支持装置を提供することを目的とする。
【０００８】
【課題を解決するための手段】
上記目的を達成するための技術的手段は、水中ポンプに連結された吊下げ用チェーンを用いて中空コラム内に水中ポンプを上げ降ろしする水中ポンプ吊下げ用チェーンの上端支持装置において、前記中空コラム上端部に設けられたフランジ部の上面に、環状の中間フランジ板を介して上蓋が装着され、前記中間フランジ板の径方向に離隔した内周部に、それぞれ形成された対向する切欠溝間にわたってチェーン支持棒が着脱自在に嵌め込み配置され、該チェーン支持棒の中空コラム中心部付近に位置して備えられたチェーン連結部に前記吊下げ用チェーンが連結された点にある。
【０００９】
また、前記フランジ部の上側に載置状とされる前記チェーン支持棒両端部の下面側もしくは上面側の少なくともいずれか一方に、前記上蓋の装着時に圧縮変形される弾性部材が設けられた構造としてもよい。
【００１０】
さらに、前記チェーン連結部は前記チェーン支持棒に突設されたリング状のフック体からなり、チェーン連結部と吊下げ用チェーンのリンクとが中継連結部材を介して互いに連結された構造としてもよい。
【００１１】
【発明の実施の形態】
以下、本発明の実施形態を図面に基づいて説明すると、図１に示される如く、コラム式水中ポンプ１は、取水槽２等の上壁３に垂下状に設置された円筒状の中空コラム４と、該中空コラム４の下端部に支架された水中ポンプ５とを備えた構造とされている。
【００１２】
また、上壁３上方に位置する中空コラム４の上端部一側には、径方向に指向して突出する吐出口６が備えられ、該吐出口６に排水管等が着脱自在に連結される構造とされている。
【００１３】
中空コラム４の上端部に設けられたフランジ部７の上面には、図２に示される如く、円環状のパッキン８、円環状の中間フランジ板９、円環状のパッキン１０および円板状の上蓋１１が順次重合状とされて、複数のボルト１２・ナット１３により互いに着脱自在に締結され、各パッキン８、１０により相互間をシールする構造とされている。
【００１４】
前記中間フランジ板９は、図３に示される如く、その外周部に周方向に離隔して前記ボルト１２が挿通される複数のボルト挿通孔９ａが形成されると共に、径方向に離隔した内周部に適宜幅を有する矩形状の切欠溝９ｂが互いに対向してそれぞれ形成されている。なお、前記フランジ部７、パッキン８、１０および上蓋１１にも中間フランジ板９の各ボルト挿通孔９ａと対応した位置にそれぞれボルト挿通孔７ａ、８ａ、１０ａ、１１ａが形成されている。
【００１５】
そして、両切欠溝９ｂ間にわたって中実もしくは中空のチェーン支持棒１５が着脱自在に嵌め込み状態で配置されている。チェーン支持棒１５の長さ方向中央部下面側には、Ｕ字形のフック体が溶接等により固着され、下向きに突出するリング状のチェーン連結部１５ａを構成しており、図１および図２に示される如く、チェーン支持棒１５の両切欠溝９ｂ間にわたる嵌め込み状態で、そのチェーン連結部１５ａが中空コラム４の中心部付近に位置するように構成されている。
【００１６】
また、図４ないし図６に示される如く、チェーン支持棒１５における前記切欠溝９ｂに嵌め込まれる部分に位置した両端部の下面には、それぞれ切欠溝９ｂに対して嵌め込み可能な薄肉の矩形平板材よりなる姿勢保持板１５ｂが溶接等により固着されると共に、各姿勢保持板１５ｂの下面に、ゴム板等からなる弾性変形自在な弾性部材１５ｃが貼着されている。
【００１７】
そして、図６に示されるように、チェーン支持棒１５と姿勢保持板１５ｂとの合計高さは、中間フランジ板９の厚みよりも低く、かつチェーン支持棒１５と姿勢保持板１５ｂおよび弾性部材１５ｃの合計高さは、中間フランジ板９の厚みよりも高くなるように構成されている。従って、フランジ部７、パッキン８、中間フランジ板９、パッキン１０、上蓋１１が互いに重合されてボルト１２締結された状態においては、チェーン支持棒１５はその弾性部材１５ｃが圧縮変形されて上下から挟持状に保持される構造とされている。
【００１８】
前記水中ポンプ５の上部には、吊金具１７が装着されており、該吊金具１７に円環状のリング１８を介して吊下げ用チェーン１９の下端部が連結されている。そして、吊下げ用チェーン１９の上端部のリンク１９ａが中継連結部材としてのシャックル２０を介して、チェーン支持棒１５のチェーン連結部１５ａに連結されている。
【００１９】
この際、吊下げ用チェーン１９の長さは、中空コラム４の下端部に水中ポンプ５を据え付け配置した状態で、吊金具１７とチェーン連結部１５ａ間で吊下げ用チェーン１９が張った状態となる長さに予め設定されている。
【００２０】
また、水中ポンプ５の電源供給・制御用の各ケーブル２１は、吊金具１７に下部が固定状に保持され、上蓋１１に設けられた各ケーブル挿通部１１ｂを通じて外部に取出される構造とされている。この際、各ケーブル挿通部１１ｂにおいては、従来同様、ゴムシール等を利用した密着解除自在な適宜シール構造が採用される。例えば、実公平７−２４６３６号公報等にも開示の如くである。
【００２１】
本実施形態は以上のように構成されており、水中ポンプ５の据え付けに際しては、従来同様、吊下げ用チェーン１９を利用して中空コラム４内に水中ポンプ５を徐々に降ろしていき、据え付け配置する。
【００２２】
その後、チェーン支持棒１５のチェーン連結部１５ａと吊下げ用チェーン１９上端のリンク１９ａとを、図１、図２および図４に示される如く、シャックル２０のネジ軸２０ａによりリンク１９ａ内を挿通をさせて螺合することによって連結する。
【００２３】
そして、上蓋１１をボルト１２で締結すれば、フランジ部７と中間フランジ板９間および中間フランジ板９と上蓋１１間は、それぞれパッキン８、１０によりシールされる。この際、チェーン支持棒１５両端部に備えられた弾性部材１５ｃも圧縮変形される。
【００２４】
また、各ケーブル２１は、各ケーブル挿通部１１ｂより外部に引き出された部分を引っ張り、適宜張った状態でケーブル挿通部１１ｂに備えられたシール構造によりシールする。
【００２５】
次に、保守点検等のメンテナンス時に水中ポンプ５を引き上げる場合には、各ケーブル挿通部１１ｂのシール構造を解除して、各ボルト１２を取り外し、上蓋１１を開ければよい。
【００２６】
そして、吊下げ用チェーン１９を引き上げれば、水中ポンプ５を中空コラム４内より取出すことができる。この水中ポンプ５の引き上げ作業に際して、チェーン支持棒１５が支障なければ、吊下げ用チェーン１９とチェーン支持棒１５との連結を解除する必要がなく、メンテナンス後に再度、水中ポンプ５を据え付ける際に、連結のための手間を省くことができる。
【００２７】
以上のように、本実施形態によれば、吊下げ用チェーン１９の上端を中空コラム４の中心部付近に位置するチェーン連結部１５ａに連結する構造としているため、吊下げ用チェーン１９を中空コラム４内においてその中心に沿った略鉛直状態で連結固定でき、ここに固定状態における吊下げ用チェーン１９のたるみを極小とすることができ、水中ポンプ５作動における排水時の水流によるチェーン１９の踊りも有効に抑制でき、水中ポンプ５の各ケーブル２１や中空コラム４を傷つけたり、突発的なテンションによってチェーン１９自体の損傷を招くおそれも有効に防止することができる。
【００２８】
この際、吊下げ用チェーン１９は略鉛直状態となるため、従来のように傾斜状に配置される場合と比較して、チェーン１９の全長もより短くでき、この点からもチェーン１９のたるみ発生をより少なくすることができる。
【００２９】
また、チェーン支持棒１５の中央部に吊下げ用チェーン１９が連結されるチェーン連結部１５ａが備えられているため、チェーン連結部１５ａに吊下げ用チェーン１９を連結した状態においても、チェーン支持棒１５を位置ズレさせるような力が作用せず、各ボルト挿通孔７ａ、８ａ、９ａ、１０ａ、１１ａの位置合わせ作業も容易で、上蓋１１の着脱作業も容易に行える利点がある。
【００３０】
さらに、中間フランジ板９とチェーン支持棒１５とを別体構造としているため、各部材の構造の簡素化が図れ、製作も容易に行える利点がある。
【００３１】
また、チェーン支持棒１５の両端部に平板状の姿勢保持板１５ｂが設けられているため、中間フランジ板９の両切欠溝９ｂ間にわたってチェーン支持棒１５を嵌め込み配置した際、載置安定性にも優れる利点があり、しかも、弾性部材１５ｃを備えた構造としているため、上蓋１１のボルト１２締結状態において、フランジ部７と上蓋１１間でチェーン支持棒１５の両端部が隙間なく挟持状に保持され、チェーン支持棒１５のガタツキ発生が有効に防止できる。
【００３２】
さらに、チェーン連結部１５ａと吊下げ用チェーン１９とをシャックル２０を利用して連結する構造としているため、効率よくたるみを極小とするリンク１９ａを利用して連結でき、この点からも水流によるチェーン１９の踊り発生が有効に防止できる。
【００３３】
なお、上記実施形態において、チェーン支持棒１５のチェーン連結部１５ａと吊下げ用チェーン１９との連結をシャックル２０を介して連結した構造を開示しているが、中継連結部材としてターンバックルを利用してもよい。この場合、ターンバックルのナット締め操作により、吊下げ用チェーン１９のたるみをより確実になくすことができるという利点がある。
【００３４】
また、チェーン支持棒１５の両端部下面側に弾性部材１５ｃを設けた構造を示しているが、上面側に設ける構造であってもよく、さらには上面側および下面側の双方に設ける構造であってもよい。
【００３５】
さらに、チェーン支持棒１５として丸棒材を示しているが、角棒材であってもよく、さらにはアングル材やチャンネル材等であってもよく、作用する負荷に応じて適宜部材を採用すればよい。
【００３６】
【発明の効果】
以上のように、本発明の水中ポンプ吊下げ用チェーンの上端支持装置によれば、中空コラム上端部に設けられたフランジ部の上面に、環状の中間フランジ板を介して上蓋が装着され、中間フランジ板の径方向に離隔した内周部に、それぞれ形成された対向する切欠溝間にわたってチェーン支持棒が着脱自在に嵌め込み配置され、該チェーン支持棒の中空コラム中心部付近に位置して備えられたチェーン連結部に吊下げ用チェーンが連結された構造であり、吊下げ用チェーンを略鉛直状態で連結固定でき、固定状態における吊下げ用チェーンのたるみを極小とすることができ、水中ポンプ作動における排水時の水流によるチェーンの踊りを有効に抑制でき、水中ポンプのケーブルや中空コラムを傷つけたり、突発的なテンションによってチェーン自体の損傷を招くおそれも有効に防止することができる。
【００３７】
また、フランジ部の上側に載置状とされるチェーン支持棒両端部の下面側もしくは上面側の少なくともいずれか一方に、上蓋の装着時に圧縮変形される弾性部材が設けられた構造とすれば、チェーン支持棒のガタツキ発生が有効に防止できるという利点がある。
【００３８】
さらに、チェーン連結部はチェーン支持棒に突設されたリング状のフック体からなり、チェーン連結部と吊下げ用チェーンのリンクとが中継連結部材を介して互いに連結された構造とすれば、連結時におけるチェーンのたるみをより有効に減少させることができる。
【図面の簡単な説明】
【図１】本発明の実施形態にかかるコラム式水中ポンプの断面説明図である。
【図２】図１のII−II線断面拡大矢視図である。
【図３】中間フランジ板とチェーン支持棒との関係を示す平面図である。
【図４】チェーン支持棒とチェーンとの連結を示す側面図である。
【図５】チェーン支持棒の端部斜視図である。
【図６】一部分解断面図である。
【符号の説明】
１  コラム式水中ポンプ
４  中空コラム
５  水中ポンプ
６  吐出口
７  フランジ部
８  パッキン
９  中間フランジ板
１０  パッキン
１１  上蓋
１５  チェーン支持棒
１５ａ  チェーン連結部
１５ｂ  姿勢保持板
１５ｃ  弾性部材
１９  吊下げ用チェーン
１９ａ  リンク
２０  シャックル
２１  ケーブル
【図１】
2004196525.tif 000003
【図２】
2004196525.tif 000004
【図３】
2004196525.tif 000005
【図４】
2004196525.tif 000006
【図５】
2004196525.tif 000007
【図６】
2004196525.tif 000008